(57)【要約】ＩＰネットワーク（１５）に結合されているアクセス・デバイス（１１）を構成する方法により、アクセス・デバイス（１１）は、ＬＥ（１９）の要求により、所望の信号をアクセス回線に適用することが可能である。音声ゲートウェイ（１７）は、ＬＥ（１９）からＶ５プロトコル・メッセージを受信した後、そのＶ５プロトコル・メッセージを、所望の信号に関連付けられた１つまたは複数のパラメータを含むＮＣＳ形式のテキスト・メッセージにマッピングし、そのテキスト・メッセージをＩＰネットワーク（１５）を通じてアクセス・デバイス（１１）に送信する。アクセス・デバイス（１１）は、テキスト・メッセージを受信した後、テキスト・メッセージ内に含まれる１つまたは複数のパラメータおよび管理情報ベースに格納されている１つまたは複数のデフォルト値に関して、自身の構成を調整する。構成された後、アクセス・デバイス（１１）は、所望の信号をアクセス回線に適用する。
2005519565.tif 000002
【特許請求の範囲】
【請求項１】
Ｖ５プロトコルに基づいて稼働している地域交換局から、インターネット・プロトコルに基づいて稼働しているメディア・ターミナル・アダプタに、電話パラメータを転送する方法であって、
１つまたは複数の情報要素を含むＶ５シグナリング・プロトコル・バイナリ・メッセージを地域交換局から受信することと、
該受信されたＶ５シグナリング・プロトコル・バイナリ・メッセージを、該受信されたＶ５シグナリング・プロトコル・バイナリ・メッセージ内の該１つまたは複数の情報要素に対応する１つまたは複数のテキスト情報を含む遠隔アクセス・ノード用のテキスト・メッセージにマッピングすることと、
該テキスト．メッセージを該遠隔アクセス・ノードに送信することと、
から成る方法。
【請求項２】
音調呼び出し情報要素を含むＶ５  ＥＳＴＡＢＬＩＳＨメッセージまたは音調呼び出し情報要素を含むＶ５  ＳＩＧＮＡＬメッセージを、前記メディア・ターミナル・アダプタ内の構内終端点で使用される複数の音調呼び出しタイプのうちの１つを識別するテキスト情報要素を含む音調呼び出しコードを有するＮＣＳ信号要求メッセージにマッピングすることからさらに成る請求項１に記載の方法。
【請求項３】
パルス状信号情報要素を含むＶ５  ＥＳＴＡＢＬＩＳＨメッセージまたはパルス状信号情報要素を含むＶ５  ＳＩＧＮＡＬメッセージを、少なくとも回線処理情報要素を含むパルス信号コードを有するＮＣＳ信号要求メッセージにマッピングすることからさらに成る請求項１に記載の方法。
【請求項４】
前記パルス信号コードは、パルス持続時間情報要素も含む請求項３に記載の方法。
【請求項５】
前記パルス信号コードは、パルス反復間隔情報要素も含む請求項３に記載の方法。
【請求項６】
前記パルス信号コードがパルス持続時間情報要素を含まない場合、前記メディア・ターミナル・アダプタは、前記メディア・ターミナル・アダプタによりアクセス可能な管理情報ベース内に格納されている該パルス持続時間に対して予め準備されている値を適用する請求項３に記載の方法。
【請求項７】
前記パルス信号コードがパルス反復間隔情報要素を含まない場合、前記メディア・ターミナル・アダプタは、前記メディア・ターミナル・アダプタによりアクセス可能な管理情報ベース内に格納されている該パルス反復間隔に対して予め準備されている値を適用する請求項３に記載の方法。
【請求項８】
前記パルス信号コードは、パルス反復数を表す反復情報要素も含む請求項３に記載の方法。
【請求項９】
前記パルス信号コードは、メータ・パルス報告間のパルス数を表す報告パルス・カウント情報要素も含む請求項９に記載の方法。
【請求項１０】
前記回線処理情報要素は、初期呼び出し音、パルス・ループ・クローズ、パルス・ループ・オープン、イネーブル・メータリング・パルス生成、メータリング・パルス・バースト生成、パルス電池切れ、パルス通常極性、パルス電池低電力、およびパルス逆極性の回線処理のうちの１つを識別する値を含む請求項３に記載の方法。
【請求項１１】
信号要求メッセージとともに、イベント要求メッセージを前記メディア・ターミナル・アダプタに送信することにより、前記メディア・ターミナル・アダプタに信号要求に関連する情報を要求することからさらに成り、該イベント要求メッセージは該要求される関連情報を識別するテキスト情報要素を含む請求項１に記載の方法。
【請求項１２】
前記テキスト情報要素はパルス完了を識別する値を含む請求項１１に記載の方法。
【請求項１３】
前記テキスト情報要素は、オペレーション完了およびオペレーション失敗のうち１つまたは複数のイベントを識別する値を含む請求項１１に記載の方法。
【請求項１４】
イベント要求メッセージへの応答として、通知メッセージを受信することからさらに成り、該通知メッセージは、該通知メッセージが関連するイベントを示すイベント要求コードを含む請求項１１に記載の方法。
【請求項１５】
前記イベント要求コードは、前記通知メッセージが関連する前記イベントに関連する数を示す値を含む請求項１４に記載の方法。
【請求項１６】
抑制のないことを示す抑制表示を前記地域交換局から受信した後、前記プロセッサまたは地域交換局からの回線状態または追加信号メッセージの変化とは無関係に、関連する回線処理を前記メディア・ターミナル・アダプタが実行するよう指令する関連回線処理ＮＣＳメッセージを前記メディア・ターミナル・アダプタに対して生成する請求項１に記載の方法。
【請求項１７】
前記地域交換局からの所定のＶ５信号メッセージに対する応答として、抑制を示す抑制表示を前記地域交換局から受信した後、前記所定のＶ５信号メッセージの監視を開始し、前記所定のＶ５信号メッセージを受信した後、関連するパルス状信号キャンセル・メッセージを前記メディア・ターミナル・アダプタに対して発行する請求項１に記載の方法。
【請求項１８】
前記端末交換局からの所定の回線信号に対する応答として、抑制を示す抑制表示を前記地域交換局から受信した後、前記メディア・ターミナル・アダプタからの所定のＮＣＳ回線処理信号メッセージの監視を開始し、該所定のＮＣＳ回線処理信号メッセージを受信した後、関連するパルス状信号キャンセル・メッセージを前記メディア・ターミナル・アダプタに対して発行する請求項１に記載の方法。
【請求項１９】
前記地域交換局からの所定のＶ５信号メッセージまたは前記端末交換局からの所定の回線信号に対する応答として抑制を示す抑制表示を前記地域交換局から受信した後、前記メディア・ターミナル・アダプタからの該所定のＶ５回信号メッセージおよび所定の回線処理信号メッセージの監視を開始し、前記地域交換局からの該所定のＶ５信号メッセージまたは前記メディア・ターミナル・アダプタからの該所定の回線処理信号メッセージのいずれかを受信した後、関連するパルス状信号キャンセル・メッセージを前記メディア・ターミナル・アダプタに対して発行する請求項１に記載の方法。
【請求項２０】
定常状態信号情報要素を含むＶ５  ＥＳＴＡＢＬＩＳＨメッセージまたは定常状態信号情報要素を含むＶ５  ＳＩＧＮＡＬメッセージを、１つまたは複数の情報要素を含む定常状態信号の信号要求コードを有するＮＣＳ信号要求メッセージにマッピングすることからさらに成る請求項１に記載の方法。
【請求項２１】
前記１つまたは複数の情報要素は、前記プロセッサから新しい信号を要求メッセージを受信するまで前記メディア・ターミナル・アダプタにより適用される回線処理を示す、回線処理情報要素を含む請求項２０に記載の方法。
【請求項２２】
前記回線処理情報要素は、通常（完全）充電、ループ・クローズ、ループ・オープン、電池切れ、通常極性、電池低電力、および逆極性の回線処理のうちの１つを識別する値を含む請求項２１に記載の方法。
【請求項２３】
メディア・ターミナル・アダプタ内の構内終端点で所望の信号を適用するよう該地域交換局が該メディア・ターミナル・アダプタに指令するために該地域交換局を該メディア・ターミナル・アダプタに結合する装置であって、
該地域交換局に結合し、バイナリ形式のＶ５  ＳＣＮプロトコル・メッセージ受信するＶ５インターフェースと、
インターネット・プロトコル・ネットワークを介して該メディア・ターミナル・アダプタに結合し、該メディア・ターミナル・アダプタとの間でＮＣＳ形式のテキスト・メッセージを送受信するインターネット・プロトコル・インターフェースと、
該Ｖ５インターフェースに結合されると共に該インターネット・プロトコル・インターフェースに結合され、バイナリ形式の受信されたＶ５  ＳＣＮプロトコル・メッセージに含まれる１つまたは複数の情報要素を、１つまたは複数のＮＣＳ形式の信号要求および／または１つまたは複数のＮＣＳイベント要求にマッピングして該メディア・ターミナル・アダプタに送信し、該メディア・ターミナル・アダプタから受信されたイベント通知テキスト・メッセージを１つまたは複数のＶ５  ＳＣＮ  プロトコル・メッセージにマッピングして前記地域交換局に送信するプロセッサと、から成る装置。
【請求項２４】
地域交換局とやり取りする装置であって、
地域交換局に結合された音声ゲートウェイであって、
該地域交換局に結合し、バイナリ形式のＶ５  ＳＣＮプロトコル・メッセージを受信するＶ５インターフェースと、
インターネット・プロトコル・ネットワークを介して該メディア・ターミナル・アダプタに結合し、該メディア・ターミナル・アダプタとの間でＮＣＳ形式のテキスト・メッセージを送受信するインターネット・プロトコル・インターフェースと、
該Ｖ５インターフェースに結合されると共に該インターネット・プロトコル・インターフェースに結合され、バイナリ形式の受信されたＶ５  ＳＣＮプロトコル・メッセージに含まれる１つまたは複数の情報要素を１つまたは複数のＮＣＳ形式の信号要求および／または１つまたは複数のＮＣＳイベント要求にマッピングして該メディア・ターミナル・アダプタに送信し、該メディア・ターミナル・アダプタから受信されたテキスト・メッセージを１つまたは複数のＶ５  ＳＣＮ  プロトコル・メッセージにマッピングして前記地域交換局に送信するプロセッサと、を備える音声ゲートウェイと；
該音声ゲートウェイに結合されたメディア・ターミナル・アダプタであって、
該音声ゲートウェイからテキスト・メッセージを受信し、該受信されたテキスト・メッセージに基づき該メディア・ターミナル・アダプタの電話オペレーションを制御し、該電話オペレーションに関する関連情報の要求に対する応答として該音声ゲートウェイに１つまたは複数のテキスト・メッセージを送信するプロセッサと、
該プロセッサに結合され、該電話オペレーション用の複数のデフォルトのパラメータおよび値を含む管理情報ベースを格納し、該プロセッサは必要に応じて該デフォルトのパラメータおよび値を取得し該受信されたテキスト・メッセージに含まれていない場合に所定の電話オペレーションを完全に定義するメモリと、
インターネット・プロトコル・ネットワークに結合するインターネット・プロトコル・インターフェースと、を備えるメディア・ターミナル・アダプタと；
から成る装置。
【請求項２５】
地域交換局の要求によりアクセス回線に所望の信号を適用するようインターネット・プロトコル・ネットワークに結合されたアクセス・デバイスを構成する方法であって、
アクセス回線に所望の信号を適用するよう要求するＶ５プロトコル・メッセージを地域交換局から受信することと、
該Ｖ５プロトコル・メッセージを、該所望の信号と関連する１つまたは複数のパラメータを含むＮＣＳ形式のテキスト・メッセージにマッピングすることと、
該テキスト・メッセージを該インターネット・プロトコル・ネットワークを介して該アクセス・デバイスに送信することと、
該受信されたテキスト・メッセージに従って、該テキスト・メッセージに含まれる該１つまたは複数のパラメータおよび該所望の信号を定義するために該アクセス・デバイスからアクセス可能な管理情報ベースに格納されている１つまたは複数のデフォルト値を使用して、該アクセス・デバイスの構成を調整することと、
該所望の信号を該アクセス回線に適用することと、
から成る方法。
【発明の詳細な説明】
【技術分野】
【０００１】
本発明は、一般に、電話信号伝達を実施するための方法および装置に関し、詳細には、ケーブル・ネットワークおよびインターネット・プロトコル・ベースのネットワークを含む大規模な通信ネットワークで電話信号伝達を実施するための方法および装置に関する。
【背景技術】
【０００２】
本出願では、同じ発明者により同じ表題のもとで２００２年３月６日に出願された米国仮出願第６０／３６２００５号の優先権を主張する。
本出願は、さらに、同じ発明者の少なくとも１人により前記出願と同時に出願され、同じ譲受人に譲渡された「Ｍｅｔｈｏｄ  Ｆｏｒ  Ｇｅｎｅｒａｌｉｚａｔｉｏｎ  Ｏｆ  Ｔｅｌｅｐｈｏｎｅ  Ｓｉｇｎａｌｉｎｇ  Ｒｅｑｕｉｒｅｍｅｎｔｓ  Ｔｏ  Ｓｕｐｐｏｒｔ  Ｍｕｌｔｉｐｌｅ  Ｉｎｔｅｒｎａｔｉｏｎａｌ  Ｍａｒｋｅｔｐｌａｃｅｓ  Ｉｎ  Ａ  Ｓｉｎｇｌｅ  Ｃｕｓｔｏｍｅｒ  Ｐｒｅｍｉｓｅｓ  Ｄｅｖｉｃｅ」という表題の米国特許出願第 号［代理人番号＃Ｄ２９１１］にも関連する。本願明細書は、図面を含めて、その全体が本明細書に繰り返されているかのように本願に援用される。
【０００３】
国際電話市場では、国境をまたがって多数の電話インターフェース・パフォーマンス・パラメータが異なる先例がある。以前には、製品は、独自のハードウェア構成またはハードウェアとソフトウェアの組み合わせのいずれかを国内仕様に適合させることにより「国内化」されていた。近年の欧州連合（ＥＵ）によるＥＵ内のこれらの国内仕様を「調和」させる試みは、従来の電話端末装置（ＴＥ）の基盤が大きいため、完全な「調和」をはかることには成功していない。したがって、加入者構内機器では、それらの国内仕様に引き続き対応していかなければならない。
しかしながら、メーカーおよび電話事業者は、端末装置の互換性問題、コスト、およびサポートの要件を低減するため、ハードウェアの相違なしで電話アクセス・ネットワークをこれらの国内仕様に適合可能であることを望んでいる。
【０００４】
特に、インターネット・プロトコル（ＩＰ）ベースのネットワークに関連するので、ＣａｂｌｅＬａｂｓと呼ばれる標準化団体は、Ｖｏｉｃｅ  ｏｖｅｒ  ＩＰネットワークを北米で動作させるための標準の策定に取り組んだ。ＰａｃｋｅｔＣａｂｌｅは、ＤＯＣＳＩＳケーブル・モデムを介して電話サービス通信および信号伝達標準を提供するためＣａｂｌｅＬａｂｓにより作成される通信・信号伝達規格である。ＤＯＣＳＩＳは、Ｄａｔａ
Ｏｖｅｒ  Ｃａｂｌｅ  Ｓｙｓｔｅｍｓ  Ｉｎｔｅｒｆａｃｅ  Ｓｐｅｃｉｆｉｃａｔｉｏｎｓの略であり、ヘッドエンドおよびデータ・ネットワークとの通信のためケーブル・モデムにより使用されているＣａｂｌｅＬａｂｓ規格である。Ｃａｂｌｅｌａｂｓ／Ｐａｃｋｅｔｃａｂｌｅによって策定された続く規格は、北米規格に基づいてアクセス・デバイス（ＭＴＡｓと呼ばれる）のオペレーションを修正するネットワーク・コール・シグナリング（ＮＣＳ）メッセージとともに、限定された構成および準備機能を提供している。マルチメディア・ターミナル・アダプタ（ＭＴＡ）は、ケーブル・モデムと従来の一般電話サービス（ＰＯＴＳ）電話回線に接続して、光ファイバ同軸ハイブリッド（ＨＦＣ）を介して電話サービスを提供する装置であり、また、ＭＴＡは、従来のＰＯＴＳ電話ともインターフェースする。これらの規格は、本質的に、可能なオペレーションのプロファイルを１つしか記述せず、国際市場のあらゆる変化に対応し得るほど十分に柔軟とはいえない。
【発明の開示】
【発明が解決しようとする課題】
【０００５】
したがって、本発明は、電話アクセスネットワークがハードウェアに修正を加えることなく国内仕様に対応し得るようにするための方法および装置を開発するという課題を対象とする。
【課題を解決するための手段】
【０００６】
本発明は、とりわけ、異なる国々で使用され、国内ネットワークの異なるシステム・オペレータによって使用されることが可能な共通ハードウェア・デバイスを構築するための方法およびシステムを提供することにより、上記の問題およびその他の問題を解決する。共通ハードウェア・プラットフォームは、デフォルト値を使用してハードウェア・プラットフォームが動作するフレームワークを提供するソフトウェア・モジュールを介して様々な国内仕様に適合させることが可能であり、そのフレームワークは、デバイスをその国内仕様に正確に合わせて構築するよう、システム・インフラストラクチャを介して自動的に新しい値を受け入れることが可能である。
【発明を実施するための最良の形態】
【０００７】
本明細書で「１実施形態」または「実施形態」と述べた場合、その実施形態と関連して説明されている特定の機能、構造、または特性が、本発明の少なくとも１つの実施形態に含まれていることを意味することに注意されたい。本明細書の様々な場所に「１実施形態では」という語句が出現しても、必ずしもすべて同じ実施形態を指しているわけではない。
【０００８】
上述の問題に対する１つの解決策として、フレキシブル・ハードウェア・プラットフォームを開発し、その後、国内仕様に合わせてそのようなフレキシブル・プラットフォームを構成する方法を考案する。さらに、そのようなプラットフォームは、初期導入およびシステム登録時に（例えば、準備時に）再構成され、特定の顧客または導入（ｉｎｓｔａｌｌａｔｉｏｎ）要件に合わせてそのオペレーションを「カスタマイズ」し得ることが望ましい。最後に、一部のパラメータは、固有呼び出し、電話番号表示（ＣＬＩＤ）、メーター・パルシングなどのアナログ・ローカル・アクセス・シグナリング・サービス（ＡＬＡＳＳ）またはカスタム・ローカル・エリア・シグナリング・サービス（ＣＬＡＳＳ）に対応するために、またはチャネルのコンテンツ要件に応じて帯域幅要件を変えることによりネットワーク帯域幅利用度を改善するために、呼び出し毎に動的に変えなければならない。以下の説明では、プラットフォームのパフォーマンスを機器メーカー、サービス事業者、および顧客ニーズに適合させるシステムおよび方法を提供するための方法について述べる。
【０００９】
本発明の１態様では、ヨーロッパＶ５．ｘプロトコル・シグナリング・スイートをアクセス・ネットワーク・プロトコルに変換し、そのプロトコルの制御下で信号およびパラメータを実行するよう遠隔アクセス・ノードの準備を行う方法を提供する。簡易ネットワーク管理プロトコル（ＳＮＭＰ）を利用して、それらのパラメータを遠隔アクセス・ノードに転送することが可能である。本発明の特定の態様は、特に、国際市場に固有なものである拡張音調呼び出し音変化（ｃａｄｅｎｃｅｄ  ｒｉｎｇ  ｖａｌｉａｂｉｌｉｔｙ）、パルス状信号（ｐｕｌｓｅｄ  ｓｉｇｎａｌ）要求、および定常状態信号（ｓｔｅａｄｙ
ｓｉｇｎａｌ）要求を対象とする。
【００１０】
本発明の１態様では、アクセス・ノード用のフレキシブル・ハードウェア・プラットフォームに基づき、デフォルトの一セットの要素およびパラメータ（構成）に合わせてハードウェア・プラットフォームを動作させる「デフォルト」パフォーマンス要素を設定するフレキシブル・データベース（ＭＩＢ）を作成する。この初期ＭＩＢ定義は、デフォルト動作モードと呼ばれる。この「デフォルト」の一セットの要素およびパラメータは、最も
一般的なパフォーマンス要件のセット（例えば、ＥＵの「調和」規格）と協調する。本質的に、このＭＩＢ定義は、考えられるすべての変数についてパラメータおよび範囲を設定することにより、考えられるすべての国内仕様に対応するフレームワークを提供し、次に、必要に応じて、特定の国内仕様を完全に指定する値を受け付ける。
【００１１】
本発明の他の態様によれば、電話ネットワークへの登録後、フレキシブル・ハードウェア・プラットフォーム「デフォルト」ＭＩＢが国または顧客の要件に従って改訂される（例えば、準備が行われる）という、「準備」プロセスが定義される。この改訂が行われれば、フレキシブル・ハードウェア・プラットフォームのパフォーマンス特性に変化が生じる。
【００１２】
本発明のさらに他の態様によれば、フレキシブル・ハードウェア・プラットフォームにＭＩＢ定義パフォーマンス・パラメータを実行させるためネットワーク上で通信可能な一セットのソフトウェア命令が定義される。
【００１３】
本発明のさらに他の態様によれば、呼設定時またはオペレーション呼び出し時に情報要素を供給して、一時的ＭＩＢ要素を変更し、フレキシブル・ハードウェア・プラットフォームにその呼び出しまたはその呼び出し条件に対するパフォーマンス特性を変更させる、一セットの拡張ソフトウェア命令が定義される。
【００１４】
電話パラメータ
以下の電話パラメータは、本出願で説明されている方法により修正して適合し得るが、本発明はこれらのパラメータに制限されるわけでも、束縛されるわけでもない。本明細書で規定している手法を使用することにより、以下のパラメータの少なくともそれぞれを、既存の国内仕様に合わせて完全に直すことが可能である。さらに、今のところ規定されていない新しい国内仕様も、以下の回線シグナリングのパラメータについて広い範囲および柔軟性が可能であると仮定すると、本明細書の手法を使用して作成することが可能である。
【００１５】
通信回線インピーダンス
受信音声信号損失（下り損失、デジタル／アナログ（Ｄ／Ａ）損失、ＩＴＵ−Ｔ  Ｑ．５５１．Ｑ．５５２−Ｌｏによる）
送信音声信号損失（上り損失、アナログ／デジタル（Ａ／Ｄ）損失、ＩＴＵ−Ｔ  Ｑ．５５１／Ｑ．５５２−Ｌｉによる）
ＤＣループ電流
ＤＣループ電圧（Ｖｂａｔｔ）
ループ極性／極性反転
ループ・ブレーク・タイミング−フック・スイッチ、フラッシュ・フック（フック・フラッシュ）、ダイヤル・パルス（パルス・ダイヤリング）
ＶｏＣｏｄｅｒコーディング法
監視トーン発生
デュアル・トーン多周波（ＤＴＭＦ）復号化
ＤＴＭＦトーン符号化
番号計画
オンフック・データ伝送プロトコル
オンフック・データ伝送トーン
オフフック・データ伝送プロトコル
オフフック・データ伝送トーン
呼び出しシグナリング（音調テーブル）
メータリング−５０Ｈｚ、１２ｋＨｚ、１６ｋＨｚ
「Ｋブレーク」時限ループ・ブレーク（切断）
上記のリストはすべてを網羅しているわけではなく、製品設計での選択によっては、これらの機能すべてをサポートしている必要はない。本明細書で説明しているいくつかの方法を利用することで、アクセス・デバイスがそのオペレーションを変更することが可能である場合にそれらのパラメータを修正し得るようにする方法が提供される。
【００１６】
ＥＴＳＩ  ＥＴＳ  ３００  ００１では、これらのパラメータの多くおよびその国内仕様を定めている。
フレキシブル・ハードウェア・プラットフォーム
フレキシブル・ハードウェア・プラットフォームの１例として、組み込みメディア・ターミナル・アダプタを備えたケーブル・モデム、またはメディア・ターミナル・アダプタを備えたケーブル・モデムなどのアクセス・デバイスがある。フレキシブル・ハードウェア・プラットフォームの例としては、モトローラ社（Ｍｏｔｏｒｏｌａ）のＣＧ４５００／４５００ＥおよびＣＧ５５００／５５００Ｅ製品がある。ＣＧ４５００／５５００  Ｓｅｒｉｅｓ  Ｃｏｍｍｕｎｉｃａｔｉｏｎｓ  Ｇａｔｅｗａｙｓは２種類のモデルがあり、ＤＯＣＳＩＳおよびＥｕｒｏＤＯＣＳＩＳプロトコルをサポートしている。ＣＧ４５００／５５００  Ｃｏｍｍｕｎｉｃａｔｉｏｎｓ  Ｇａｔｅｗａｙｓは、２つの独立のＲＪ−１１インターフェース・ジャックを介して、２つの一般電話サービス（ＰＯＴＳ）回線をサポートしている。いずれの通信回線も、遠隔操作で、他の回線と無関係に、有効、無効を設定し得る。電話サービスのサポートに加えて、Ｃｏｍｍｕｎｉｃａｔｉｏｎｓ  Ｇａｔｅｗａｙｓは、１０／１００  Ｂａｓｅ  Ｔ  ＥｔｈｅｒｎｅｔおよびＵＳＢデータ・ポートを備えた高速データ・リンクを提供する。
【００１７】
設計技術は、上記の回線シグナリング・パラメータすべてがハードウェアまたはハードウェアとソフトウェアの組み合わせで定義することが可能な状況にまで進んでいる。ハードウェアは、ソフトウェアの制御下でこれらのパラメータのうちのどれか１つまたは他のパラメータについてそのパフォーマンスを変更することが可能であるので、以下の説明はアナログ電話の構成、準備、および呼処理に当てはまる。
【００１８】
パラメータ定義
電話パフォーマンス・パラメータ毎に、これから説明しようとしているパラメータの実際のパフォーマンス特性を記述するいくつかの属性がある。一般的には、以下のような適応型通信機能をサポートするデータベースおよびメッセージの形式が考えられる。
【００１９】
パラメータ：属性１，属性２，属性３，．．．，属性Ｎ
そのため、データベースには、上記パラメータのそれぞれに対するエントリおよびそれらエントリのそれぞれに関連付けられた関連する属性とが収められている。
【００２０】
管理情報ベース（ＭＩＢ）
ＭＩＢは、上記のようにアクセス・デバイスが定義されているパラメータを使用して実行するように構成または準備を行うために使用される、データベース（ＤＢ）などの仮想ストア内に常駐する被管理オブジェクトの集合体である。通常、このデータベースはシステム・オペレータの制御下で集中して一元管理される。ＤＢは、システム規模の個々のデバイス上で、または回線毎に、パラメータ定義を行えるように構造化することが可能である。ＭＩＢ、その管理システム（例えば、パラメータ／属性設定）、およびＭＩＢの内容を分配する方法は、当業者には周知であり、したがって本明細書で繰り返し説明する必要はない。
【００２１】
一般に、属性は、適合させるべきパラメータの性質に基づき定義することが可能である。
アクセス・デバイスにより生成されるパラメータは、例えば、振幅、周波数、継続時間、および音調タイミング（例えば、オン／オフ・パターン、番号間タイミングなど）といった属性を有する。他の属性もまた、必要に応じて指定することが可能である。
【００２２】
アクセス・デバイスにより受信または検出されるパラメータは、例えば、レベル、周波数、最小継続時間、最大継続時間、音調タイミング（例えば、オン／オフ・パターン、番号間タイミング最小／最大など）といった属性を有する。同様に、他の属性もまた、指定することが可能である。
【００２３】
いくつかのパラメータは値固有のパラメータであり、例えば、以下のようなものがある。
回線インピーダンスは、一般に、第２の抵抗と並列容量との並列結合に給電する直列抵抗として記述される。
【００２４】
ループ電流またはループ電圧は、固有の値パラメータとなる。
ループ極性−順方向ループ、逆方向ループ
ＶｏＣｏｄｉｎｇ  Ｌａｗ−Ｇ．１１μ−ｌａｗ、Ｇ．７１１  Ａ−ｌａｗ、Ｇ．７２３、Ｇ．７２８、Ｇ．７２９、Ｇ．７２９ｅなど
ダイヤル計画−特定の番号と番号列
許容範囲は、アクセス・デバイスのハードウェアおよびソフトウェア設計特性により定義されているため、システムでは定義されていない。
【００２５】
準備
アクセス・デバイスの構成および準備のプロセスは、当業者には周知であるため、本明細書で説明を繰り返す必要はない。本明細書では、準備プロセスで伝達される拡張パラメータおよび属性について説明する。
【００２６】
ネットワーク・コール・シグナリング（ＮＣＳ）
本明細書で説明する実施形態では、ＮＣＳメッセージを利用する。ＮＣＳはメディア・ゲートウェイ制御プロトコル（ＭＧＣＰ）（つまり、ＰａｃｋｅｔＣａｂｌｅにより使用されているＶｏｉｃｅ−Ｏｖｅｒ−ＩＰ規格）のプロファイルであるため、当業者であれば、同じメッセージ、原理、および実施方法を、そのプロトコルあるいは分散コール・シグナリング（ＤＣＳ）またはＨ．３２３（ＩＴＵ遠隔会議プロトコル）などの他の多数のプロトコルのうちのいずれか１つとともに適用することが可能である。したがって、本発明は、それらのプロトコルのうちのどれか１つに限られない。
【００２７】
文書Ｐｋｔ−ＳＰ−ＥＣ−ＭＧＣＰ−Ｉ０１−９９０３１２の中のＣａｂｌｅＬａｂｓ／ＰａｃｋｅｔＣａｂｌｅ  ＮＣＳ定義は、ＴＡ−ＮＷＴ−０００９０９およびＴＲ−ＮＷＴ−００００５７などのＴｅｌｃｏｒｄｉａ  Ｔｅｌｅｐｈｏｎｙ文書で定義されているような一部のパラメータを制御する、制限された機能しか定義していない。アクセス・ネットワークの機能を高め、広範な国内仕様および国際市場の一部の独自パラメータに適合させるために、本明細書で説明されているようにオリジナルのＮＣＳの作業を拡大する。そこで、ＮＣＳ（例えば、ヨーロッパ回線パッケージ）に対し新しい回線パッケージを定義することで、オリジナルのＰａｃｋｅｔＣａｂｌｅ  ＮＣＳ  Ｌｉｎｅ  Ｐａｃｋａｇｅ仕様とコンフリクトしない形で国内仕様に対応する。
【００２８】
これらのメッセージは、アクセス・デバイスに対しパラメータ値または条件を設定するよう指令する。一部のメッセージでは、これらの値は暗黙に設定されており（明記されない）、暫定的な値が使用される。他の場合には、これらのメッセージは、使用される代替え属性を供給し、暫定的な値と置き換えるように拡張される。したがって、アクセス・デ
バイスを所定の回線シグナリング・パラメータを構成するよう修正するために、（例えば、システム・オペレータ・ノードから、またはシステム・オペレータの制御下で）アクセス・デバイスにメッセージが送信され、このメッセージにより、メッセージで指定されている属性に従って所定の回線シグナリング・パラメータが完全に調整される。最終結果として、アクセス・デバイスは、指定された機能に従って動作することになる。
【００２９】
概要
この節では、交換回線ネットワーク（ＳＣＮ）の一部をなすヨーロッパ仕様準拠地域交換局（ＬＥ）に合わせてアクセス・ネットワークをエミュレートすることが可能なＩＰＡＴデバイスに、ＮＣＳプロトコルを適用することについて説明する。本明細書では、ＮＣＳプロトコルとアナログ電話へのＳＣＮサービスのサポートに適用可能なＶ５．２プロトコル［ＥＴＳ  ３００  ３２４参照］のサブセットとの間の対応関係について説明する。
【００３０】
本発明の様々な態様を利用することで、ケーブル事業者は、ＳＣＮアクセス用の既存のＶ５スイッチ能力を使用しながら光ファイバ同軸ハイブリッド（ＨＦＣ）ケーブル・プラントを介して電話サービスを提供することが可能である。
【００３１】
この節は、２線（ａ−ｂターミナル）、ループ開始、アナログ一般電話システム（ＰＯＴＳ）回線により提供されるサービスに関連するＶ５シグナリング・プロトコルのサブセットに適用される。
【００３２】
本明細書で説明されるプロトコルにより、Ｖ５  ＳＣＮ  ＰＯＴＳサービス・スイートをサポートすることが可能である。製品が特定のサービスをサポートし得ない場合、プロトコルへの準拠程度は、プロトコル・インターフェースを受け付け、製品機能に対するサービス要求における不整合を緩和することが可能であるものと解釈すべきであって、したがって、プロトコルの相互運用性を維持しながら製品の複雑度およびコストを市場要件および管理ニーズに合わせて最適化することが可能である。本明細書の説明では、Ｇ．７１１のみが想定されている。
【００３３】
音声ゲートウェイ・アーキテクチャ
音声ゲートウェイ１７およびＩＰネットワークを介してメディア・アクセス・ターミナル１１を地域交換局１９に結合するシステム・アーキテクチャの例が図１に示されている。インターネット・プロトコル・アクセス端末（ＩＰＡＴ）１７は、ＩＰＣａｂｌｅＣｏｍ準拠ネットワーク１５と交換回線ネットワーク（ＳＣＮ）１８の一部である地域交換局１９との間の連係機能を提供する。ＩＰＡＴと地域交換局との間のインターフェースでは、アナログ電話へのＳＣＮサービスのサポートに利用可能なＥＴＳ  ３００  ３２４のサブセットを使用する。
【００３４】
図１５は、音声ゲートウェイ８５およびメディア・ターミナル・アダプタ８６の１実施形態を示している。音声ゲートウェイ８５はＩＰインターフェース８４を使用しており、これを介して、やはり類似のＩＰインターフェース８７を使用しているメディア・ターミナル・アダプタ８６と通信を行う。さらに、音声ゲートウェイ８５は、Ｖ５インターフェース８２を使用して、地域交換局８１と通信する。プロセッサ８３は、地域交換局との間でやり取りされる信号をメディア・ターミナル・アダプタとの間でやり取りされるメッセージにマッピングし、変換する。メディア・ターミナル・アダプタ８６は、必要に応じてデフォルトパラメータの管理情報ベース８９を格納しているメモリにアクセスし、それらのパラメータがメディア・ターミナル・アダプタにより受信されたテキスト・メッセージ内に与えられていない場合に所定の電話オペレーションを完全に定義する。
【００３５】
本明細書で指定しているマッピングでは、ＩＰＡＴの内部構造に関しては何も仮定を置
いていないが、シグナリングおよびメディア連携機能の両方を備えているものと仮定している。
【００３６】
インターフェースの電気的要件および物理的要件
本明細書で述べている方法およびシステム・アーキテクチャは、地域交換局（ＬＥ）１９と、Ｖ５インターフェースを介して接続されているアクセス・ネットワーク１６（ＡＮ）とから成るＥＴＳ  ３００  ３２４定義システム・アーキテクチャを想定している。Ｖ５インターフェースは、ＥＴＳ  ３００  ３４７−１、ＥＴＳ  ３００  １６６、およびＥＴＳ  ３００  １６７で定義されているように、１から１６個までの２０４８ｋｂｉｔ／ｓインターフェースを備えることが可能である。このインターフェースの電気的および物理的特性は、ＥＴＳ  ３００  １６６、２０４８  ｋｂｉｔ／ｓのケースに準拠している。
【００３７】
２種類のインターフェース提示の選択肢、つまり、平衡インターフェース・ペア型と同軸型がＥＴＳ  ３００  １６６で定義されている。図１に示されているインターフェース・アプリケーションの２つの選択肢によれば、必要なインターフェース提示を要求することがネットワーク・オペレータに任されている。
【００３８】
本明細書では、アクセス・ネットワークは、インターネット・プロトコル・アクセス端末（ＩＰＡＴ）またはノード１７、ケーブル・モデム・ターミナル・システム（ＣＭＴＳ）１４、ケーブル・モデム（ＣＭ）１２ａ，１２ｂ、およびマルチメディア・ターミナル・アダプタ（ＭＴＡ）１１ａ，１１ａまたは組み込み型マルチメディア・ターミナル・アダプタ（Ｅ−ＭＴＡ）から成るＰａｃｋｅｔＣａｂｌｅネットワークを定義するように拡張されている。図１〜４で、Ｉａ＝アクセス・ネットワーク側のインターフェース点、Ｉｂ＝ＬＥ側のインターフェース点、Ｉｃ＝ユーザ構内側のインターフェース点である。図２、３、および４は、本明細書のいくつかの発明が適用可能であると思われる様々なネットワーク・アーキテクチャを示している。
【００３９】
このアクセス・ネットワークは、従来の回線交換アーキテクチャにおける遠隔デジタル端末（ＲＤＴ）を利用するアクセス・ネットワークと同義である。
ＩＰネットワークおよびＨＦＣネットワークの電気的および論理的定義は、規格策定作業の対象であるため、本明細書では定義しない。
【００４０】
本明細書の説明では、これらのネットワークは単に、ＥＴＳ  ３００  ３２４で説明されているような透過デジタル・リンクを提供するだけであると仮定している。本明細書の説明は、ユーザ構内の終端点での所望のサービスをサポートするためＥＴＳ  ３００  ３２４で定義されているようなＶ５  ＬＥと構内インターフェース点との間の必要なシグナリングを実現する方法に重点を置いている。
【００４１】
音調呼び出し要求については、本明細書の実施形態では、ＮＣＳ呼び出し音調信号と類似の構文を使用して拡大された範囲の音調呼び出し音を定義する。
パルス状信号および定常状態信号については、本明細書の手法により、ＰａｃｋｅｔＣａｂｌｅ  ＩＰＡＴはＶ５スイッチから受信したＶ５プロトコル・メッセージをＩＰＡＴからＥ−ＭＴＡへの対応する信号要求に変換し、所望の信号を構内終端点に適用するよう指定することが可能である（例えば、回線処理、パルス持続時間、パルス期間、および反復数など）。本明細書の手法はさらに、ＩＰＡＴで肯定応答に対するＶ５スイッチ要求をサポートする手段も含む。
【００４２】
図１４は、本発明の１態様により、地域交換局の要求により所望の信号をアクセス回線に適用するようインターネット・プロトコル・ネットワークに結合されているアクセス・
デバイスを構成する方法の１実施形態の流れ図を示している。所望の信号をアクセス回線に適用するよう要求する地域交換局からＶ５プロトコル・メッセージを受信した後（要素７１）、Ｖ５プロトコル・メッセージは、所望の信号に関連付けられた１つまたは複数のパラメータを含むＮＣＳ形式のテキスト・メッセージにマッピングされる（要素７２）。その後、テキスト・メッセージは、インターネット・プロトコル・ネットワークを介してアクセス・デバイスに送信される（要素７３）。受信した後、アクセス・デバイスは、受信したテキスト・メッセージに従って、テキスト・メッセージに含まれる１つまたは複数のパラメータおよび所望の信号を定義すべくアクセス・デバイスからアクセス可能な管理情報ベースに格納されている１つまたは複数のデフォルト値を使用して、アクセス・デバイスの構成を調整する（要素７４）。その後、アクセス・デバイスは、所望の信号をアクセス回線に適用する（要素７５）。
【００４３】
図１２および１３は、本発明の他の態様により、Ｖ５プロトコルに従って動作している地域交換局から電話パラメータをインターネット・プロトコル・ネットワークに従って動作しているメディア・ターミナル・アダプタに転送する１実施形態の流れ図を示している。地域交換局から、１つまたは複数の情報要素を含む、Ｖ５シグナリング・プロトコル・バイナリ・メッセージを受信する（要素５１）。受信されたＶ５シグナリング・プロトコル・バイナリ・メッセージは、受信されたＶ５シグナリング・プロトコル・バイナリ・メッセージ内の１つまたは複数の情報要素に対応する１つまたは複数のテキスト情報要素を含む、遠隔アクセス・モード用のテキスト・メッセージにマッピングされる（要素５２）。その後、テキスト・メッセージは遠隔アクセス・ノードに送信される（要素５３）。このマッピングは、音調呼び出し情報要素を含むＶ５  ＥＳＴＡＢＬＩＳＨメッセージまたは音調呼び出し情報要素を含むＶ５  ＳＩＧＮＡＬメッセージを、メディア・ターミナル・アダプタ内の構内終端点で使用される複数の音調呼び出しタイプのうちの１つを識別するテキスト情報要素を含む音調呼び出しコードを有するＮＣＳ信号要求メッセージにマッピングすること（要素５３）；パルス状信号情報要素を含むＶ５  ＥＳＴＡＢＬＩＳＨメッセージまたはパルス状信号情報要素を含むＶ５  ＳＩＧＮＡＬメッセージを、少なくとも回線処理情報要素を含む、パルス信号コードを有するＮＣＳ信号要求メッセージにマッピングすること（要素５４）；パルス状信号情報要素を含むＶ５  ＥＳＴＡＢＬＩＳＨメッセージまたはパルス状信号情報要素を含むＶ５  ＳＩＧＮＡＬメッセージを、少なくとも回線処理情報要素を含む、パルス信号コードを有するＮＣＳ信号要求メッセージにマッピングすること（要素５５）；パルス状信号情報要素を含むＶ５  ＥＳＴＡＢＬＩＳＨメッセージを、少なくとも回線処理情報要素を含む、パルス信号コードを有するＮＣＳ信号要求メッセージにマッピングすること（要素５６）；および定常状態信号情報要素を含むＶ５  ＥＳＴＡＢＬＩＳＨメッセージまたは定常状態信号情報要素を含むＶ５  ＳＩＧＮＡＬメッセージを、１つまたは複数の情報要素を含む、定常状態信号の信号要求コードを有するＮＣＳ信号要求メッセージにマッピングすること（要素５７）；を含む。
【００４４】
この方法の次のステップは、条件付きステップである。パルス信号コードがパルス持続時間情報要素を含まない場合、メディア・ターミナル・アダプタは、メディア・ターミナル・アダプタによりアクセス可能な管理情報ベース内に格納されている、パルス持続時間に対して予め準備されている値を適用する（要素５８）。
【００４５】
パルス信号コードがパルス反復間隔情報要素を含まない場合、メディア・ターミナル・アダプタは、メディア・ターミナル・アダプタによりアクセス可能な管理情報ベース内に格納されている、パルス反復間隔に対して予め準備されている値を適用する（要素６１）。
【００４６】
抑制のないことを示す抑制表示を前記地域交換局から受信した後、プロセッサまたは地域交換局からの回線状態または追加信号メッセージの変化とは無関係に、関連する回線処
理をメディア・ターミナル・アダプタが実行することを指令する関連回線処理ＮＣＳメッセージをメディア・ターミナル・アダプタに対して生成する（要素６２）。
【００４７】
抑制のないことを示す抑制表示を地域交換局から受信した後、プロセッサまたは地域交換局からの回線状態または追加信号メッセージの変化とは無関係に、関連する回線処理をメディア・ターミナル・アダプタが実行することを指令する関連回線処理ＮＣＳメッセージをメディア・ターミナル・アダプタに対して生成する（要素６３）。
【００４８】
端末交換局からの所定の回線信号に対する応答として抑制を示す抑制表示を地域交換局から受信した後、メディア・ターミナル・アダプタから所定のＮＣＳ回線処理信号メッセージの監視を開始し、所定のＮＣＳ回線処理信号メッセージを受信した後、関連するパルス状信号キャンセル・メッセージをメディア・ターミナル・アダプタに対して発行する（要素６４）。
【００４９】
地域交換局からの所定のＶ５信号メッセージまたは端末交換局からの所定の回線信号に対する応答として抑制を示す抑制表示を地域交換局から受信した後、メディア・ターミナル・アダプタからの所定のＶ５回信号メッセージおよび所定の回線処理信号メッセージの監視を開始し、地域交換局からの所定のＶ５信号メッセージまたはメディア・ターミナル・アダプタからの所定の回線処理信号メッセージのいずれかを受信した後、関連するパルス状信号キャンセル・メッセージをメディア・ターミナル・アダプタに対して発行する（要素６５）。
【００５０】
Ｖ５  ＳＣＮプロトコル・メッセージのためのＮＣＳパッケージ
この節では、ＩＰＣａｂｌｅｃｏｍ信号要求およびイベント要求を、ヨーロッパＩＰＣａｂｌｅｃｏｍのＮＣＳ用に開発中のヨーロッパ回線パッケージに追加することについて説明する。
【００５１】
これらの信号要求およびイベント要求により、Ｖ５  ＳＣＮプロトコル・メッセージ・タイプに含まれる対応する情報要素がバイナリ形式でＮＣＳ形式にマッピングされる。
本明細書で示すデフォルトの値は、初期製品出荷時の値を機器メーカーに提供することを目的としている。これらの値は、地方自治体の要件に従い他の値を使ったユニット構成または準備の一環として、上書きすることが可能となるように準備が行われる。
【００５２】
音調呼び出し要求
「音調呼び出し」に対する情報要素を含むＶ５  ＥＳＴＡＢＬＩＳＨメッセージまたはＶ５  ＳＩＧＮＡＬメッセージは、ＮＣＳ「ＳｉｇｎａｌＲｅｑｕｅｓｔ」にマッピングされる。
【００５３】
Ｓ：＜ｒｅｑｕｅｓｔ  ｃｏｄｅ＞
ヨーロッパ音調呼び出し信号の信号要求コードはｃｒ（ｘ）である。
現在定義されているＰａｃｋｅｔＣａｂｌｅ回線パッケージＮＣＳ呼び出し信号「ｒｘ」は、ｘ＝ｇ、ｓ、または番号０〜７（１０進数）で定義される。これらの音調の一部は固定されており、ＰａｃｋｅｔＣａｂｌｅガイダンスに従って準備することはできない。Ｖ５では、０から１２７までの範囲の音調呼び出し音に対応しているため、ｃｒ（ｘ）信号はｘ＝０，１２７で定義される。Ｖ５システムでは、デフォルトの音調呼び出し音はｃｒ（０）であり、音調のどれも、国内の基準または行政の要件に従って一意に準備を行うことが可能である。
【００５４】
音調呼び出しのデフォルト値および範囲
ＭＴＡでは、音調呼び出し値（０から１２７まで）の準備を行い、国内の基準または地
方自治体の要件に基づくＬＥ音調呼び出し音マップに対応付けることが可能である。
【００５５】
音調呼び出し音のデフォルト値が表Ｂ．１に示されている。タイミングはすべてミリ秒単位である。５０ｍｓを１ステップとして０〜５０００ｍｓの範囲にわたる準備が必要である。
【００５６】
【表１】
2005519565.tif 000003
パルス状信号要求
パルス信号情報要素を含むＶ５  ＥＳＴＡＢＬＩＳＨメッセージまたは「パルス状信号」情報要素を含むＶ５  ＳＩＧＮＡＬメッセージは、ＮＣＳ信号要求にマッピングされる。パルス状信号の信号要求コードはｐｓである。この信号要求に対するパラメータは以下のとおりである。
【００５７】
■  ｌｔは、適用される回線処理を表す（パルス・タイプのＶ５符号化に対応する）
■  ｐｄは、パルス持続時間（単一パルスの長さ）を表す
■  ｐｒは、そのパルスのパルス反復間隔を表す
ｐｄおよびｐｒの値は任意選択である。値が与えられていない場合、ＭＴＡでは、回線処理／パルス・タイプ（ｌｔ）タイプ・コードに従ってＭＴＡ  ＭＩＢ内の予め準備されている値を適用するものとする。
【００５８】
これらのパラメータに加えて、信号要求は以下の信号要求パラメータとともに適用することが可能である。
■  ｒｅｐは、パルスの個数（反復）を表す。
【００５９】
■  ｒｐｃは、メータ・パルス報告（任意選択、ｅｍ信号のみ）の間のパルスの個数を表す。
ほとんどのパルス状信号要求は、実際には、タイムアウト（ＴＯ）信号であり、タイムアウト値は以下のように決定し得る。
【００６０】
ｔｏ＝ｐｒ＊ｒｅｐ
ＩＰＡＴでは、要求されている信号要求にデフォルトのタイムアウト値で十分な場合、信号要求の中にタイムアウト・パラメータを入れる必要はない。このデフォルトは、ＭＴＡとＩＰＡＴの両方で準備される。
【００６１】
ＩＰＡＴは、ｐｒ＊ｒｅｐの積が１８０秒よりもかなり小さい場合にはタイムアウト値を含むべきであり、ＩＰＡＴは、ｐｒ＊ｒｅｐの積が１８０秒よりも大きい場合にはタイムアウト値を含まなければならない。
【００６２】
「イネーブル・メータリング・パルス生成」（ｅｍ）および「バースト・メータリング・パルス生成」（ｍｐｂ）信号は、オン／オフ（ＯＯ）信号および短時間（ＢＲ）信号としてそれぞれ定義される。パルスの個数（ｒｅｐ）は、ｅｍ信号要求に適用可能でない。むしろ、ｅｍ信号は、報告パルス・カウント（ｒｐｃ）パラメータしか含まない。パルス・パラメータの個数は、ｍｐｂ信号要求に必要である。
【００６３】
回線処理符号化
表Ｂ．２は、信号タイプおよびパラメータの適用可能性とともに、適用することが可能な回線処理の符号化について説明している。パラメータは、Ｏｐｔｉｏｎａｌ（任意選択、Ｏ）、Ｍａｎｄａｔｏｒｙ（必須、Ｍ）、またはＦｏｒｂｉｄｄｅｎ（禁止、Ｆ）である。
【００６４】
【表２】
2005519565.tif 000004
「ｒｅｐ」パラメータは、Ｖ５  ＬＥ  インターフェースから値が与えられる場合には、ＭＡＮＤＡＴＯＲＹ（必須）である。このフィールドでのＯＰＴＩＯＮＡＬの割り当てでは、コール・エージェントまたはＳｏｆｔｓｗｉｔｃｈアーキテクチャのサポートでデフォルト値の使用を認識している。
【００６５】
回線処理のデフォルト値および範囲
図１１に示されている表Ｂ．３では、表Ｂ．２の回線処理に対するデフォルトおよびパラメータ範囲を記述している。タイミング値はミリ秒単位である。
【００６６】
注意１：メータ・パルス振幅は、国内基準による基準終端インピーダンスで終端されているａ−ｂターミナル間のｄＢｍで指定されている。
要求されたイベント
以下のイベントは、要求されたイベント内に含めることにより、パルス状信号について要求することが可能である（Ｒ：通知要求内のパラメータ・リスト）：
■  ｏｃは、オペレーション完了を通知すべきであることを表す
■  ｏｆは、オペレーション失敗を通知すべきであることを表す
■  ｐｃは、パルス完了を通知すべきであることを表す
■
【００６７】
パルス符号化
ＩＰＡＴでは、ＬＥまたは地方自治体によって定義されているような準備・テーブルに従って、Ｖ５列挙パルス・タイプおよび持続時間コーディングをＮＣＳ回線処理タイプおよびミリ秒単位の持続時間にマッピングしなければならない。
【００６８】
パルス持続時間符号化
パルス持続時間は、ｐｄパラメータを使用し、ミリ秒単位で指定される。例えば、２００ミリ秒のパルスは、以下の式で指定される。
【００６９】
ｐｄ＝２００  パルス持続時間は、任意選択である。要求側エンティティにより与えられない場合、ＭＴＡは、回線処理（ｌｔ）パラメータに基づき、準備されている、または内部的にデフォルト設定されている値を適用すべきである。
【００７０】
パルス期間符号化
パルス期間は、ｐｒパラメータを使用し、ミリ秒単位で指定される。例えば、１秒の期間は、以下の式で指定される。
【００７１】
ｐｒ＝１０００  したがって、例えば、５０％のデューティ・サイクル、１秒周期のパルスは以下の式で指定される。
ｐｄ＝５００，ｐｒ＝１０００
パルス期間は、任意選択である。要求側エンティティにより与えられない場合、ＭＴＡは、回線処理（ｌｔ）パラメータに基づき、準備されている、または内部的にデフォルト設定されている値を適用すべきである。
【００７２】
パルス完了イベント・コーディング
パルス完了イベントは、ＩＰＡＴにより第１の信号要求において要求されたとき、およびそれぞれの要求されたパルスが完了したときにＭＴＡにより報告される。このイベントは、ＩＰＡＴからさらに通知要求がなくても、信号要求の持続時間に関してそれぞれの完了したパルスについて通知される。このイベントが検出されても、ＭＴＡによるパルスの継続的適用には影響しない。
【００７３】
パルス完了のイベント要求コードは、ｐｃであり、ｏｃイベントと同様に、信号要求に含まれる。
メータリング・パルス報告コーディング
メータリング・パルス報告イベントは、ゼロでない報告パルス・カウント（ｒｐｃ）パラメータを使用してイネーブル・メータリング・パルス生成信号要求において要求されたときにＭＴＡにより報告される。このイベントは、ＭＴＡのメータリング・パルス・カウントが報告パルス・カウントに達する毎に通知される。イベントの発生により、ＭＴＡのメータリング・パルス・カウントが０にリセットされる。このカウントは、メータリング・パルス・バースト（ｍｐｂ）信号要求により生成されるパルスを含まない。このイベントが発生しても、メータリング・パルスの継続的発生およびその後のメータリング・パルス報告イベント通知には影響しない。ＩＰＡＴでは、新しい通知要求を送信する必要はない。
【００７４】
メータリング・パルス報告に対するイベント・コードは、ｍｐｒである。通知は、カウントを含む。例：
Ｏ：ｍｐｒ（１０）
Ｖ５抑制表示
Ｖ５抑制表示は、パルス状信号ＩＥとイネーブル・メータリングＩＥの両方で使用される。これにより、ＬＥはアクセス・ネットワークに対し、進行中のパルス状信号が抑制されるかどうかを指示することが可能である。
【００７５】
抑制表示は、回線状態が変化した場合、新しいＳＩＧＮＡＬメッセージがＬＥから届いた場合、またはいずれかが発生した場合にパルス生成を停止するかどうかを示すために使用される。これは、呼が切断された後、メータリング・パルスが送信されない場合に、一部のネットワークのメータ・パルスに特に重要であり、これは、呼が切断された後にメー
タリング・パルスを抑制する場合に使用可能である。
【００７６】
他のネットワークでは、メータ・パルスは、ＬＥからのメッセージによる回線状態の変化またはＴＥへのメッセージによる変化とは無関係に送出されることが本質的である。
抑制表示のコーディングは以下のとおりである、
００  抑制なし
０１  抑制は、ＬＥからの予め定義されているＶ５．１  ＳＩＧＮＡＬメッセージにより許可される
１０  抑制は、ＴＥからの予め定義されている回線信号により許可される
１１  抑制は、ＬＥからの予め定義されているＶ５．１  ＳＩＧＮＡＬメッセージまたはＴＥからの予め定義されている回線信号により許可される
信号抑制オプションは、ＮＣＳプロトコルに効率よくマッピングされない。例えば、「抑制なし」の信号要求を適用するには、信号を「短時間」信号として定義しなければならず、「抑制がＴＥからの予め定義されている信号により許可された」信号を適用するには、信号を「タイムアウト」信号として定義する必要がある。Ｖ５−ｔｏ−ＮＣＳの連携のために、ＮＣＳの挙動は受け入れられ、信号は、通常の使用を仮定したうえで定義される。
【００７７】
ＮＣＳとのこのコンフリクトを解決するために、ＩＰＡＴでは、Ｖ５抑制表示を受け入れ、その後、ＮＣＳメッセージの適切な集まりを実行して所望の影響を及ぼすことにより、Ｖ５プロトコルをＮＣＳに「ブリッジ」しなければならない。
【００７８】
抑制なし
Ｖ５「００」コードを受信すると、ＩＰＡＴはＭＴＡへの関連回線処理ＮＣＳメッセージを生成する。ＭＴＡは、ＬＥ−ＩＰＡＴからの回線状態または追加信号メッセージとは無関係に本明細書で定義されているように関連する回線処理を実行する。
【００７９】
予め定義されているＶ５信号メッセージによる抑制
この場合、ＩＰＡＴは、関連するＶ５  ＳＩＧＮＡＬメッセージ（例えば、遠端の「オンフック」）で予め準備が行われていなければならない。
【００８０】
Ｖ５「０１」コードを受信すると、ＩＰＡＴは、予め準備が行われていＶ５  ＳＩＧＮＡＬメッセージの監視を開始する。ＭＴＡは、本明細書で定義されているように、関連する回線処理を実行する。
【００８１】
予め準備されているＶ５  ＳＩＧＮＡＬメッセージを受信すると、ＩＰＡＴはＭＴＡへの関連するパルス状信号キャンセル・メッセージを発行する。
ＭＴＡは、本明細書で定義されているように、関連するパルス状信号キャンセル・メッセージに応答する。
【００８２】
ＴＥからの予め定義されている回線信号による抑制
この場合、ＩＰＡＴは、関連するＮＣＳ回線処理信号メッセージ（例えば、「オンフック」）で予め準備が行われていなければならない。
【００８３】
Ｖ５「１０」コードを受信すると、ＩＰＡＴは、ＭＴＡからの予め準備されているＮＣＳ回線処理信号メッセージの監視を開始する。
ＭＴＡは、ＮＣＳプロトコルにより定義されているように、関連する回線処理メッセージを実行する（例えば、「オンフック」）。
【００８４】
予め準備されているＮＣＳメッセージを受信すると、ＩＰＡＴはＭＴＡに関連するパル
ス状信号キャンセル・メッセージを発行する（Ｂ．４．５節を参照）。
ＭＴＡは、本明細書で定義されているように、関連するパルス状信号キャンセル・メッセージに応答する。
【００８５】
ＬＥからの予め定義されているＶ５．１  ＳＩＧＮＡＬメッセージまたはＴＥからの予め定義されている回線信号による抑制
この場合、ＩＰＡＴは、関連するＶ５  ＳＩＧＮＡＬメッセージおよび（ＡＮＤ）関連するＮＣＳ回線処理信号メッセージ（例えば、遠端の「オンフック」およびＴＥ「オンフック」）で予め準備が行われていなければならない。
【００８６】
Ｖ５「１１」コードを受信すると、ＩＰＡＴは、予め準備されているＶ５  ＳＩＧＮＡＬメッセージの監視を開始し、ＭＴＡからの予め準備されているＮＣＳ回線処理信号メッセージの監視を開始する。
【００８７】
ＭＴＡに提示される場合、ＭＴＡは、ＮＣＳプロトコルにより定義されているように、関連する回線処理メッセージを実行する（例えば、「オフフック」）。
予め準備されているＶ５  ＳＩＧＮＡＬメッセージまたは（ＯＲ）ＭＴＡからのＮＣＳ回線処理メッセージを受信すると、ＩＰＡＴはＭＴＡに関連するパルス状信号キャンセル・メッセージを発行する。
【００８８】
ＭＴＡは、本明細書で定義されているように、関連するパルス状信号キャンセル・メッセージに応答する。
反復表示
反復表示は、Ｖ５  イネーブル・メータリングＩＥでしか使用されない。報告パルス・カウントとともにＬＥからアクセス・ネットワークへの方向で送信され、報告パルス・カウントで指定された番号が適用された場合に自動メータリング・パルスの適用を続行するかまたは中止するかをアクセス・ネットワークに指令する。
【００８９】
反復表示のコーディング：
００  報告パルス・カウントにより指定される番号が適用された後、パルスの適用を中止する
１１  呼が切断されるか、またはＬＥから新しい命令が受信されるまで、同じ速度でパルスを適用し続ける
０１  他の使用のため予約
１０  他の使用のため予約
ｅｍ回線処理に対するデフォルトの動作では、ＩＰＡＴにより切断されるまでオン／オフ信号として信号を適用するよう規定されている。ＩＰＡＴは、ｅｍ信号をオフにするため埋め込まれた通知要求を含めることにより報告パルス・カウントに達した後パルスを中断する動作を得ることが可能である（Ｂ．４．５節を参照）。
【００９０】
パルス反復符号化
ＩＰＡＴは、Ｖ５インターフェイス・パルス反復カウントを直接、既存のＮＣＳ反復（ｒｅｐ）パラメータにマッピングする。
【００９１】
このパラメータは、この付録に従って与えなければならない。パルス反復には、デフォルト値は設定されていない。
注意：Ｖ５ガイダンスによれば、ｒｅｐ値「０」は無効である。ＩＰＡＴが、ｒｅｐ値＝０である、または欠損している、Ｖ５  ＬＥから要求を受け取ると、ＩＰＡＴはｒｅｐ値「１」を置き換える。
【００９２】
Ｖ５パルス状信号ＩＥでは、「パルス数」フィールドは５ビット長のフィールドである。許容値の範囲は、１から３１までである。Ｖ５イネーブル・メータリングＩＥでは、さらに、「反復表示＝００」フィールドおよび「報告パルス・カウント」フィールドの組み合わせにより、限られた「パルス数」を指定することが可能である。報告パルス・カウントは１２ビットのフィールドであり、１から４０９５までの有効な範囲に対応している。パルス反復値はＶ５インターフェースからは範囲１〜３１に限られるが、パルス反復は全範囲１〜４０９５にわたって指定することが可能である。
【００９３】
パラメータの使用
パルス状信号要求について説明されているパラメータはすべて、説明されている回線処理のすべてに適用される。
【００９４】
ＩＰＡＴは、パルス持続時間、パルス反復間隔、および反復回数の値を与えなければならない。
メータ・パルスの国内仕様に対応するため、ＭＴＡに合わせて周波数および振幅の準備が行われるが、それはいずれも、Ｖ５インターフェースからのメッセージでは供給されないからである。ＩＰＡＴでは、Ｖ５インターフェース・メッセージ・レート・タイプからパルス反復間隔を決定し、信号要求でその間隔時間（ｍｓ）をＭＴＡに供給しなければならない。
【００９５】
Ｖ５−２０００では、イネーブル・メータリング情報用にレート・タイプ・フィールドが用意されている。これは、列挙型である。ＩＰＡＴは、地方自治体の要件に応じて、準備に基づき、異なるｅｎｕｍ値を対応するミリ秒値に変換しなければならない。
【００９６】
ＩＰＡＴは、パルス反復間隔および信号反復パラメータを使用して、加入者の回線に合わせて一定数のパルスを発生することが可能である。
パルス状信号キャンセル
ほとんどのパルス状信号は、タイムアウト信号であるが、パルス完了（ｐｃ）を除き、要求されたイベントが検出されたときに終了する。
【００９７】
さらに、ＬＥは、空の信号要求を送信することによりいつでもすべてのアクティブなパルス状信号を終了することが可能である。
ＬＥは複数のパルス状信号を同時に加入者の回線に適用することが可能であるため（例えば、メータ・パルスが発生し、他の回線処理が適用される）、ＩＰＡＴは処理特有のコマンド構文を使ってオン／オフ回線処理を終了することが可能である。適用されるメータ・パルスを終了する１例として以下がある。
【００９８】
Ｓ：Ｅ／ｐｓ（ｅｍ（−））
パルス完了イベント
パルス完了イベントは、それぞれの要求されたパルスが完了したときにＭＴＡによりＩＰＡＴに報告される。
【００９９】
パルス完了のイベント要求コードはｐｃである。
パルス状信号失敗イベント
パルス状信号失敗イベントは、オペレーション失敗「ｏｆ」が要求イベントのリストに含まれていた場合、パルス状信号要求が完了し得ないと、ＭＴＡによりＩＰＡＴに報告される。パルス状信号要求は、他の信号要求が失敗するおそれがあるなどの理由により失敗することがある。
【０１００】
定常状態信号要求
定常状態信号情報要素を含むＶ５  ＥＳＴＡＢＬＩＳＨメッセージまたは定常状態信号情報要素を含むＶ５  ＳＩＧＮＡＬメッセージは、ＮＣＳ信号要求にマッピングされる。
【０１０１】
定常状態信号の信号要求コードはｓｓである。この信号要求に対するパラメータは以下のとおりである。
■  ｌｔは、適用される回線処理を表す（定常状態信号タイプのＶ５符号化に対応する）
この処理は、Ｖ５  ＬＥが新しい処理について導くまで保持される。
【０１０２】
回線処理符号化
回線処理は、以下のコードワードを使用して符号化される。
定常状態信号要求符号化
【０１０３】
【表３】
2005519565.tif 000005
回線処理準備
これらは定量的な値（タイミング、周波数、または振幅）がなくても回線状態であるという点で必要な準備ではない。
【０１０４】
メータリング・パルス発生
「イネーブル・メータリング・パルス生成」ｐｓ（ｌｔ＝ｅｍ（＋））信号要求を受信すると、ＭＴＡは第１のメータリング・パルスを終端に即座に適用し、その後、信号要求で与えられた場合にはパルス反復間隔パラメータｐｒの値、または準備が行われた値で指定された間隔で後続のメータリング・パルスを適用する。
【０１０５】
ＭＴＡは、「ディセーブル・メータリング・パルス生成」ｐｓ（ｌｔ＝ｅｍ（−））信号要求または空の信号要求リストを受け取るまでメータリング・パルスを発生し続ける。
メータリング・パルス・バースト信号ｐｓ（ｌｔ＝ｍｐｂ）要求を信号要求の中に入れることにより、メータリング・パルス生成で、例えば、呼び出しに対し初期課金を適用することが可能である。この場合、ＭＴＡは、メータリング・パルス・バーストをエンドポイントに完全に適用し、その後、通常のメータリング・パルス生成を開始する。
【０１０６】
メータリング・パルス・バースト信号は短時間信号タイプなので、加入者がバースト中にオンフックになっても、要求（ｒｅｐ＝ｎ）に対し指定されたすべてのパルスが適用される。
【０１０７】
メータリング・パルス・バースト信号要求は、例えば、課金可能な加入者アクションを考慮するために呼び出しが進行しているときに発生し得る。この場合、ＭＴＡは、通常のメータリング・パルス生成をサスペンドし、メータリング・パルス・バースト信号要求を適用する。ＭＴＡは、その後、ＩＰＡＴからの新しい「イネーブル・メータリング・パルス生成」要求を必要とせずに、通常のメータリング・パルス生成を再開する。ＩＰＡＴは
、欠損しているパルスをバースト・カウントに含めることによりバースト中に欠損した通常のメータリング・パルスに対応しなければならない。
【０１０８】
ＩＰＡＴは、任意選択により、報告パルス・カウント（ｒｐｃ）パラメータをイネーブル・メータリング・パルス生成（ｅｍ）信号要求とともに含めることが可能である。このパラメータが０以外であれば（ｒｐｃ＝ｎ、ただしｎ＝１〜ｎ）、ＭＴＡは、パルス・カウントがｒｐｃ値に達する毎に、通知の形でメータ・パルス報告を生成する。イベント通知が発生すると、ｒｐｃカウンタはリセットされ、ｒｐｃ「ｎ」値に達する毎に報告が生成される。このカウントは、メータリング・パルス・バースト（ｍｐｂ）信号要求により生成されるメータリング・パルスを含まない。
【０１０９】
構成の準備
ＭＴＡ
ＭＴＡは、回線処理毎に、電気的パラメータで準備を行う。適切な場合には、これらのパラメータは、振幅、周波数、最小パルス幅、および最大ｒｅｐレート（最小パルス間タイミング）を含む。これらのパラメータは、回線処理特有の値がＶ５インターフェース・メッセージにより与えられない限り、使用される。
【０１１０】
ＩＰＡＴ
Ｖ５パルス・タイプおよび持続時間コーディングのＮＣＳパルス・タイプおよびミリ秒単位のパルス持続時間タイミングへのマッピングで準備が行われるものとする。この準備は、ＬＥ準備および地方自治体のガイダンスと整合がとれていなければならない。
【０１１１】
ヨーロッパ回線パッケージのサポート
ＮＣＳ監査
ＮＣＳ監査エンドポイント（ＡＵＥＰ）コマンドにより、ＭＴＡはサポートされている信号を報告することが可能である。
【０１１２】
ＡＵＥＰへの応答として、本明細書で取りあげているシグナリング要求をサポートしているＭＴＡは、この「ヨーロッパ」パッケージ（「Ｅ」で指定される）のサポートを報告しなければならない。
【０１１３】
監査交換の１例を以下に示す。
【０１１４】
【表４】
2005519565.tif 000006
ＭＴＡは以下のように応答する。
【０１１５】
【表５】
2005519565.tif 000007
パッケージの重要な回線は、「ｖ：Ｌ；Ｅ」であり、これはＮＣＳ回線パッケージ（Ｌ）およびヨーロッパ回線パッケージ（Ｅ）をサポートしていることを示す。
【０１１６】
未サポート信号−ＰＩＣＳ宣言
これは、デバイス・プラットフォームの制限であることを示しており（ハードウェアまたはソフトウェア）、エラー状態ではない。製品メーカーは、本明細書に取りあげられている未サポート信号を製品のＰＩＣＳ宣言に反映させることが可能である。ＮＣＳは、メッセージ送受信機能を備えるが、デバイスが要求された信号タイプをサポートし得ない場合には、デバイスは「未サポート信号」応答（５１３コード）を返すことが可能である。
【０１１７】
例１：
ＣＭＳ−＞ＭＴＡ（メータリング・パルス・バーストを要求する）：
【０１１８】
【表６】
2005519565.tif 000008
ＭＴＡ−＞ＣＭＳ（要求を拒絶する）：
【０１１９】
【表７】
2005519565.tif 000009
例２：  
ＣＭＳ−＞ＭＴＡ（メータリング・イネーブルを要求する、準備が行われたデフォルトを使用する）：
【０１２０】
【表８】
2005519565.tif 000010
ＭＴＡ−＞ＣＭＳ（要求を拒絶する）：
【０１２１】
【表９】
2005519565.tif 000011
呼の流れの例
音調呼び出し
音調呼び出し−基本音調呼び出し音
この流れは、単純な音調呼び出し音の適用の要求を例示している。
【０１２２】
１．ＬＥはＩＰＡＴへのメッセージ内に音調呼び出しパルス状信号要求を含める。ＩＰＡＴは、２進数コーディングされた音調呼び出し音を０から１２７までの範囲の１０進数値に変換する。
【０１２３】
２．音調呼び出し音値は１０進数「０」に変換されると仮定すると、以下のようになる。
【０１２４】
【表１０】
2005519565.tif 000012
３．ＭＴＡは信号要求に対し肯定応答する。
【０１２５】
【表１１】
2005519565.tif 000013
４．ＭＴＡは、呼び出し音周波数および音調呼び出し音のｃｒ（０）定義について準備されている呼び出し音テーブル内で検索し、その定義をＭＴＡ上のａａｌｎ／１回線存在に関してａ−ｂターミナルに適用する。この音調は、ＭＴＡがオフフックを検出して通常のＮＣＳ接続シーケンスが開始されるまで、またはＩＰＡＴが切断メッセージを通知するまで続く。
【０１２６】
音調呼び出し−呼び出し音スプラッシュの後に音調呼び出し音が続く
この呼の流れは、音調呼び出し音が後に続くパルス状信号「初期呼び出し音」タイプを使用して、音調呼び出し音が後に続く「呼び出し音スプラッシュ」を実現することを例示している。
【０１２７】
１．ＬＥはＩＰＡＴにパルス持続時間タイプをメッセージ内に入れた「初期呼び出し音」パルス状信号タイプ要求を供給する。
２．ＩＰＡＴは、パルス持続時間値とともに「初期呼び出し音」タイプをＮＣＳｌｔタイプｉｒに変換し、オペレーション完了通知を要求する。
【０１２８】
【表１２】
2005519565.tif 000014
３．ＭＴＡは信号要求に対し肯定応答する。
【０１２９】
【表１３】
2005519565.tif 000015
４．ＭＴＡは、初期呼び出し音周波数および初期呼び出し音持続時間（ｐｄ＝２００だと呼び出し音バーストは２００ｍｓになる）のｉｒ定義について、準備が行われた呼び出し音テーブル内を検索し、その定義をＭＴＡ上のａａｌｎ／１回線存在に関してａ−ｂターミナルに適用する。
【０１３０】
５．初期呼び出し音の完了後、ＭＴＡはオペレーション完了メッセージで応答する。
６．
【０１３１】
【表１４】
2005519565.tif 000016
これは、名前「Ｅ」で指定される「ヨーロッパ回線パッケージ」を仮定していることに注意されたい。このパッケージがデフォルトのパッケージであれば、パッケージ名は省略することが可能である。
【０１３２】
７．ＩＰＡＴは、パルスが完了していることをＬＥに通知する。
８．ＬＥはＩＰＡＴへのメッセージ内に音調呼び出しパルス状信号要求を含める。
９．ＩＰＡＴは、２進数コーディングされた音調呼び出し音を０から１２７までの範囲の１０進数値に変換する。
【０１３３】
１０．音調呼び出し音値は１０進数「０」に変換されると仮定すると、以下のようにな
る。
【０１３４】
【表１５】
2005519565.tif 000017
１１．ＭＴＡは信号要求に対し肯定応答する。
【０１３５】
【表１６】
2005519565.tif 000018
１２．ＭＴＡは、呼び出し音周波数および音調呼び出し音のｃｒ（０）定義について準備されている呼び出し音テーブル内で検索し、その定義をＭＴＡ上のａａｌｎ／１回線存在に関してａ−ｂターミナルに適用する。この音調は、ＭＴＡがオフフックを検出して通常のＮＣＳ接続シーケンスが開始されるまで、またはＩＰＡＴが切断メッセージを通知するまで続く。
【０１３６】
音調呼び出し−呼び出し音スプラッシュの後に「オンフック」データ、そして音調呼び出し音が続く
この流れは、呼び出し（ＣＬＩＤ）に関連する「オンフック」データ伝送を例示している。呼び出し音バーストの後にＬＥ生成ＦＳＫ信号音が続き、その後に音調呼び出し音の適用が続く。
【０１３７】
１．ＬＥはＩＰＡＴにパルス持続時間タイプをメッセージ内に入れた「初期呼び出し音」パルス状信号タイプ要求を供給する。
２．ＩＰＡＴは、パルス持続時間値とともに「初期呼び出し音」タイプをＮＣＳｌｔタイプｉｒに変換し、オペレーション完了通知を要求する。
【０１３８】
【表１７】
2005519565.tif 000019
３．ＭＴＡは信号要求に対し肯定応答する。
【０１３９】
【表１８】
2005519565.tif 000020
４．ＭＴＡは、初期呼び出し音周波数および初期呼び出し音持続時間（ｐｄ＝２００だ
と呼び出し音バーストは２００ｍｓになる）のｉｒ定義について、準備が行われた呼び出し音テーブル内を検索し、その定義をＭＴＡ上のａａｌｎ／１回線存在に関してａ−ｂターミナルに適用する。
【０１４０】
５．初期呼び出し音の完了後、ＭＴＡはオペレーション完了メッセージで応答する。
【０１４１】
【表１９】
2005519565.tif 000021
これは、名前「Ｅ」で指定される「ヨーロッパ回線パッケージ」を仮定していることに注意されたい。このパッケージがデフォルトのパッケージであれば、パッケージ名は省略することが可能である。
【０１４２】
６．ＩＰＡＴは、パルスが完了していることをＬＥに通知する。
７．その後ＬＥは、ａａｌｎ／１終端に対し帯域内のＦＳＫ音を発生する。
８．ＭＴＡは、ａａｌｎ／１アナログＰＯＴＳ回線に対し帯域内のＦＳＫ音を再生する。
【０１４３】
９．ＬＥは、ＦＳＫ音の終わりから２００ｍｓ遅延を計時し（ＥＴＳＩ  ＥＮ  ３００
６５９−１の最低要件を満たすために）、その後、ＩＰＡＴへのメッセージ内に音調呼び出しパルス状信号要求を生成する。
【０１４４】
１０．ＩＰＡＴは、２進数コーディングされた音調呼び出し音を０から１２７までの範囲の１０進数値に変換する。
１１．音調呼び出し音値は１０進数「０」に変換されると仮定すると、以下のようになる。
【０１４５】
【表２０】
2005519565.tif 000022
１２．ＭＴＡは信号要求に対し肯定応答する。
【０１４６】
【表２１】
2005519565.tif 000023
１３．ＭＴＡは、呼び出し音周波数および音調呼び出し音のｃｒ（０）定義について準備されている呼び出し音テーブル内で検索し、その定義をＭＴＡ上のａａｌｎ／１回線存在に関してａ−ｂターミナルに適用する。この音調は、ＭＴＡがオフフックを検出して通常のＮＣＳ接続シーケンスが開始されるまで、またはＩＰＡＴが切断メッセージを通知するまで続く。
【０１４７】
パルス状信号要求
パルス状信号要求を実装する方法４０は、図５に示されている。
１つのループ・オープン・パルスに対するパルス状信号要求
１．ＬＥ  １９はＩＰＡＴ  １７へのメッセージ内にループ・オープン・パルス状信号要求を含める。
【０１４８】
２．ＩＰＡＴ  １７は、２進数コーディングされたＶ５メッセージを変換し、ＬＥによって供給されるパラメータから回線処理およびパルス持続時間を決定し、適切なＮＣＳ信号要求を生成する。
【０１４９】
【表２２】
2005519565.tif 000024
３．ＭＴＡ  １１は信号要求に対し肯定応答する。
【０１５０】
【表２３】
2005519565.tif 000025
４．ＭＴＡ  １１は、２００ミリ秒のオープン・ループを加入者のアクセス回線２１に適用する。
【０１５１】
開始肯定応答のあるパルス状信号
図６は、開始肯定応答を含むパルス状信号を実装する方法５０を示している。この呼の流れは、複数のパルスを使用するパルス状信号要求を例示しており、ここでは、ＬＥ  １９は、加入者のアクセス回線への信号適用が開始したときに（２１）肯定応答を要求している。
【０１５２】
１．ＬＥ  １９は、複数のパルスおよび開始肯定応答でオープン・ループを要求する。
２．ＩＰＡＴ  １７は、２進数コーディングされたＶ５メッセージを変換し、ＬＥによって供給されるパラメータから回線処理、パルス持続時間、およびパルス期間を決定し、ＬＥ  １９により供給されるパルス反復数を含む、適切なＮＣＳ信号要求を生成する。ＩＰＡＴ  １７は、ＬＥが信号開始肯定応答を要求したことを「覚えて」おかなければならない。
【０１５３】
【表２４】
2005519565.tif 000026
３．ＭＴＡ  １１は信号要求に対し肯定応答する。
【０１５４】
【表２５】
2005519565.tif 000027
４．ＩＰＡＴ  １７は、肯定応答をＬＥ  １９に送信する。
５．ＭＴＡ  １１は、オープン・ループ・パルスを加入者のアクセス回線２１に適用するのを開始する。
【０１５５】
完了肯定応答のあるパルス状信号
図７は、完了肯定応答を含むパルス状信号を実装する方法６０を示している。この呼の流れは、すべてのパルスが適用された後にＬＥ  １９がすでに肯定応答を要求しているパルス状信号要求を例示している。
【０１５６】
１．ＬＥ  １９は、複数のパルスおよび完了肯定応答でオープン・ループを要求する。
２．ＩＰＡＴ  １７は、２進数コーディングされたＶ５メッセージを変換し、ＬＥ  １９によって供給されるパラメータから回線処理およびパルス持続時間を決定し、ＬＥ  １９により供給されるパルス反復数を含む、適切なＮＣＳ信号要求を生成する。ＬＥ  １９はさらに完了肯定応答を要求したため、ＩＰＡＴは信号要求にオペレーション完了パラメータを含める。この例のために、ＬＥ  １９は開始肯定応答を要求したと仮定する。
【０１５７】
【表２６】
2005519565.tif 000028
３．ＭＴＡ  １１は信号要求に対し肯定応答する。
【０１５８】
【表２７】
2005519565.tif 000029
４．ＭＴＡ  １１は、要求されたパルスを回線に適用するのを開始する。
５．第２パルス。
【０１５９】
６．第３パルス。
７．最後のパルスが完了すると、ＭＴＡ  １１はＩＰＡＴ  １７に、オペレーションの完了を通知する。
【０１６０】
【表２８】
2005519565.tif 000030
これは、名前「Ｅ」で指定される「ヨーロッパ回線パッケージ」を仮定していることに注意されたい。このパッケージがデフォルトのパッケージであれば、パッケージ名は省略することが可能である。
【０１６１】
８．ＩＰＡＴ  １７は、要求された肯定応答をＬＥ  １９に送信する。
９．ＩＰＡＴ  １７は、ＭＴＡ  １１へのイベント通知に肯定応答する。
パルス肯定応答のあるパルス状信号
図８は、パルス肯定応答を含むパルス状信号を実装する方法７０を示している。この呼の流れは、各パルスが適用された後にＬＥがすでに肯定応答を要求しているパルス状信号要求を例示している。
【０１６２】
１．ＬＥ  １９は、複数のパルスおよびパルス肯定応答でオープン・ループを要求する。
２．ＩＰＡＴ  １７は、２進数コーディングされたＶ５メッセージを変換し、ＬＥ  １９によって供給されるパラメータから回線処理およびパルス持続時間を決定し、ＬＥ  １９により供給されるパルス反復数を含む、適切なＮＣＳ信号要求を生成する。ＬＥ  １９はさらにパルス肯定応答を要求したため、ＩＰＡＴ  １７はｐｃ信号に対する埋め込み信号要求を含める。
【０１６３】
【表２９】
2005519565.tif 000031
３．ＭＴＡ  １１は信号要求に対し肯定応答する。
【０１６４】
【表３０】
2005519565.tif 000032
４．ＭＴＡ  １１は、第１のパルスを加入者のアクセス回線２１に適用する。
５．パルスが完了すると、ＭＴＡ  １１は、ＩＰＡＴ  １７にイベント通知を送信する。
【０１６５】
【表３１】
2005519565.tif 000033
６．ＩＰＡＴ  １７は、パルス肯定応答をＬＥ  １９に送信する。
７．ＩＰＡＴ  １９は、イベント通知に対し肯定応答する。ＩＰＡＴ  １７では、パルス完了に対する新しい通知要求を送信する必要はない。この要求は、メータリング・パルス生成が完了するまで有効である。
【０１６６】
８．ＭＴＡ  １１は、パルスを送信し、パルス完了を通知する作業を続ける。
パルス状信号−パルス肯定応答のあるメータ・パルス
図９は、各パルスが適用された後にＬＥ  １９がすでに肯定応答とともにメータ・パルスの適用を要求しているパルス状信号要求の呼の流れ８０を示している。メータ・パルス周波数は、ＭＴＡ  １１に対しすでに準備されている。
【０１６７】
１．ＬＥ  １９は、イネーブル・メータリング・パルス生成およびパルス肯定応答を要求する。
２．ＩＰＡＴ  １７は、２進数コーディングされたＶ５メッセージを変換し、適切なＮＣＳ信号要求を生成する。ＬＥ  １９はさらにパルス肯定応答を要求したため、ＩＰＡＴ
１７は信号要求にｐｃパラメータを含める。
【０１６８】
【表３２】
2005519565.tif 000034
３．ＭＴＡ  １１は信号要求に対し肯定応答する。
【０１６９】
【表３３】
2005519565.tif 000035
４．ＭＴＡ  １１は、準備・テーブルを参照して、メータ・パルスの周波数、振幅、およびデフォルト・タイミングを決定し、第１のメータ・パルスを加入者のアクセス回線に適用する。
【０１７０】
５．パルスが完了すると、ＭＴＡは、ＩＰＡＴにイベント通知を送信する。
【０１７１】
【表３４】
2005519565.tif 000036
６．ＩＰＡＴは、パルス肯定応答をＬＥに送信する。
７．ＭＴＡは、イベント通知に対し肯定応答する。
【０１７２】
８．ＭＴＡ  １１は、パルスを送信し、パルス完了を通知する作業を、ＬＥがメータリング・パルス生成を中断するまで続ける。
【０１７３】
【表３５】
2005519565.tif 000037
パルス状信号−料金変更のあるパルス肯定応答によるメータ・パルス
この呼の流れは、ＬＥが肯定応答とともにメータ・パルスの適用を要求しているパルス状信号要求を例示している。第１の列内の複数のパルスが適用された後、料金変更が呼び出される。メータ・パルス周波数は、ＭＴＡに対しすでに準備されている。
【０１７４】
１．ＬＥは、複数のパルスおよびパルス肯定応答でメータ・パルスの適用を要求する。
２．ＩＰＡＴは、２進数コーディングされたＶ５メッセージを変換し、ＬＥによって供給されるパラメータから回線処理およびパルス持続時間を決定し、ＬＥにより供給されるパルス反復数を含む、適切なＮＣＳ信号要求を生成する。ＬＥはさらにパルス肯定応答を要求したため、ＩＰＡＴはｐｃ信号に対する埋め込み信号要求を含める。
【０１７５】
【表３６】
2005519565.tif 000038
３．ＭＴＡは信号要求に対し肯定応答する。
【０１７６】
【表３７】
2005519565.tif 000039
４．ＭＴＡは、準備・テーブルを参照して、メータ・パルスの周波数、振幅、およびデフォルト・タイミング（最小許容値）を決定する。
【０１７７】
５．ＩＰＡＴは、開始肯定応答をＬＥに中継する。ａｃｋとパルス毎のａｃｋを両方行
うことは不可能である。
６．ＭＴＡは、第１のメータ・パルスを加入者のアクセス回線に適用する。
【０１７８】
７．パルスが完了すると、ＭＴＡは、ＩＰＡＴにイベント通知を送信する。
【０１７９】
【表３８】
2005519565.tif 000040
８．ＩＰＡＴは、パルス肯定応答をＬＥに送信する。
９．ＭＴＡは、イベント通知に対し肯定応答する。ＩＰＡＴでは、パルス完了に対する新しい通知要求を送信する必要はない。この要求は、メータリング・パルス生成が完了するまで有効である。
【０１８０】
１０．ＭＴＡは、パルスを送信し、パルス完了を通知する作業を続ける。呼状態の変化が生じると（例えば、３方向呼び出しの開始）、ＬＥは新しい料金を適用すべきと判定する。ＬＥは、新しい料金に基づき、新しいメータ・パルス・レートを決定する。
【０１８１】
１１．ＬＥは、新しい複数のパルス・カウントおよび開始肯定応答でメータ・パルスの適用を要求する。
１２．ＩＰＡＴは、新しい２進数コーディングされたＶ５メッセージを変換し、ＬＥによって供給されるパラメータから回線処理およびパルス持続時間を決定し、ＬＥにより供給されるパルス反復数を含む、適切なＮＣＳ信号要求を生成する。ＬＥはさらにパルス肯定応答を要求したため、ＩＰＡＴはｐｃ信号に対する埋め込み信号要求を含める。この例のために、ＬＥは開始肯定応答を要求したと仮定する。
【０１８２】
【表３９】
2005519565.tif 000041
１３．ＭＴＡは信号要求に対し肯定応答する。
【０１８３】
【表４０】
2005519565.tif 000042
１４．ＭＴＡは、準備・テーブルを参照して、メータ・パルスの周波数、振幅、およびデフォルト・タイミング（最小許容値）を決定する。
【０１８４】
１５．ＩＰＡＴは、開始肯定応答をＬＥに中継する。
１６．ＭＴＡは、第１の新しいメータ・パルスを新しいパルス・レートで加入者のアクセス回線に適用する。
【０１８５】
１７．パルスが完了すると、ＭＴＡは、ＩＰＡＴにイベント通知を送信する。
【０１８６】
【表４１】
2005519565.tif 000043
１８．ＩＰＡＴは、パルス肯定応答をＬＥに送信する。
１９．ＭＴＡは、イベント通知に対し肯定応答する。
【０１８７】
２０．ＭＴＡは、パルスを送信し、パルス完了を通知する作業を続ける。
固定されたメータ・パルス適用、完了
図９は、固定されたメータ・パルス適用９０が完了しているのを示している。この呼の流れ９０は、オペレーション完了通知のあるメータ・パルス適用を例示している。
【０１８８】
１．ＬＥは、パルス持続時間は１５０ミリ秒、反復間隔は２０００ミリ秒の２５個のメータ・パルスを加入者のアクセス回線に適用することを要求する。メータ・パルス周波数は、ＭＴＡに対しすでに準備されている。
【０１８９】
２．ＩＰＡＴは、ＭＴＡによるメータ・パルス信号の適用を要求する。
【０１９０】
【表４２】
2005519565.tif 000044
３．ＭＴＡは要求に対し肯定応答する。
４．ＭＴＡは、メータ・パルスを加入者のアクセス回線に適用する作業を開始する。
【０１９１】
５．この例では、ＬＥは、オリジナルの要求の中でオペレーション完了に関する通知を要求し、一定数のメータ・パルスを発生している。これで、ＭＴＡはオペレーションが完了していることをＬＥに通知する。
【０１９２】
【表４３】
2005519565.tif 000045
６．ＩＰＡＴは、イベント通知に対し肯定応答する。
７．ＩＰＡＴは、パルス状信号完了肯定応答をＬＥに中継する。
【０１９３】
定常状態信号回線処理
定常状態信号回線処理−逆極性。
この呼の流れは、ＬＥがすでにａ−ｂ  ＰＯＴＳターミナルに逆極性を適用することを要求している定常状態信号要求を例示している。
【０１９４】
１．ＬＥはＩＰＡＴへのメッセージ内に逆極性定常状態信号要求を含める。
２．ＩＰＡＴは、２進数コーディングされたＶ５メッセージを変換し、２進数コーディングされた逆極性処理メッセージをＮＣＳ  ｌｔメッセージにマッピングし、回線処理メッセージをＭＴＡに送信する。
【０１９５】
【表４４】
2005519565.tif 000046
３．ＭＴＡは信号要求に対し肯定応答する。
【０１９６】
【表４５】
2005519565.tif 000047
４．ＭＴＡは、ＭＴＡ上のａａｌｎ／１回線存在について逆極性をａ−ｂターミナルに適用する。
【０１９７】
本明細書では様々な実施形態が特に例示され、説明されているが、本発明の修正形態および変更形態が、本発明の精神および意図する範囲を逸脱することなく、上記の教示の対象としてカバーされており、また請求項の範囲内に包含されていることは理解されるであろう。例えば、本開示の一部の実施形態では、ＮＣＳメッセージを利用する。ＮＣＳは、ＭＧＣＰの一プロファイルであるため、当業者であれば、同じメッセージ、原理、および実施方法を、そのプロトコルまたはＤＣＳまたはＨ．３２３などの他の様々なプロトコルのうちの１つとともに適用することが可能である。さらに、これらの例は、請求項の対象となる本発明の修正形態および変更形態を制限するものと解釈すべきではなく、単に可能な変更形態を例示しているにすぎない。
【図面の簡単な説明】
【０１９８】
【図１】本発明の１態様のアーキテクチャ例を示す図。
【図２】本発明の様々な態様が適用可能な地域交換局へのアクセス・ネットワークの１つの結合方法を示す図。
【図３】本発明の様々な態様が適用可能な地域交換局へのアクセス・ネットワークの第２の結合方法を示す図。
【図４】本発明の様々な態様が適用可能なアクセス・ネットワークの１実施形態を示す図。
【図５】本発明の他の態様によるパルス信号要求トランザクションの間の、地域交換局、インターネット・プロトコル・アクセス端末（ＩＰＡＴ）、マルチメディア・ターミナル・アダプタ（ＭＴＡ）、およびアクセス回線の間のメッセージ送受信シーケンスを示す図。
【図６】本発明の他の態様による開始肯定応答トランザクションを含むパルス信号中の地域交換局、ＩＰＡＴ、ＭＴＡ、およびアクセス回線の間のメッセージ送受信シーケンスを示す図。
【図７】本発明の他の態様による完了肯定応答トランザクションを含むパルス信号中の地域交換局、ＩＰＡＴ、ＭＴＡ、およびアクセス回線の間のメッセージ送受信シーケンスを示す図。
【図８】本発明の他の態様によるパルス肯定応答トランザクションによるパルス信号中の地域交換局、ＩＰＡＴ、ＭＴＡ、およびアクセス回線の間のメッセージ送受信シーケンスを示す図。
【図９】本発明の他の態様によるパルス肯定応答トランザクションを含むメータリング中の地域交換局、ＩＰＡＴ、ＭＴＡ、およびアクセス回線の間のメッセージ送受信シーケンスを示す図。
【図１０】本発明の他の態様による固定メータ・パルス・アプリケーション、完了したメッセージ送受信トランザクションによるメータリング中の地域交換局、ＩＰＡＴ、ＭＴＡ、およびアクセス回線の間のメッセージ送受信シーケンスを示す図。
【図１１】本発明のさらに他の態様により回線シグナリングを定義する際に使用される回線処理のデフォルトおよび範囲を示す図。
【図１２】本発明の他の態様によりインターネット・プロトコル・ネットワークを介してメディア・ターミナル・アダプタに地域交換局を結合するための方法の１実施形態の流れ図。
【図１３】本発明の他の態様によりインターネット・プロトコル・ネットワークを介してメディア・ターミナル・アダプタに地域交換局を結合するための方法の１実施形態の流れ図。
【図１４】本発明の他の態様によりインターネット・プロトコル・ネットワークを介してメディア・ターミナル・アダプタに地域交換局を結合するための方法の他の実施形態の流れ図。
【図１５】本発明のさらに他の態様によりインターネット・プロトコル・ネットワークを介してメディア・ターミナル・アダプタに地域交換局を結合するための装置の１実施形態のブロック図。
【図１】
2005519565.tif 000048
【図２】
2005519565.tif 000049
【図３】
2005519565.tif 000050
【図４】
2005519565.tif 000051
【図５】
2005519565.tif 000052
【図６】
2005519565.tif 000053
【図７】
2005519565.tif 000054
【図８】
2005519565.tif 000055
【図９】
2005519565.tif 000056
【図１０】
2005519565.tif 000057
【図１１】
2005519565.tif 000058
【図１２】
2005519565.tif 000059
【図１３】
2005519565.tif 000060
【図１４】
2005519565.tif 000061
【図１５】
2005519565.tif 000062
【国際調査報告】
2005519565.tif 000063